(57)【要約】【課題】  紙製箱の外観に影響を与えることがないと共に、軽量で、簡易にかつ低コストで製造することができ、また、省スペースで保管することができる一方、廃棄処分にも適する。【解決手段】  段重ね用クリップ１０は、紙製箱の角部に装着されて紙製箱の段重ねを補助する。この段重ね用クリップ１０は、紙製の展開片を折り曲げて成形され、横断面がＬ字状の外壁部１２と、この外壁部１２の内側において外壁部１２より低位置に設けられた横断面がＬ字状の内壁部１４と、これらの外壁部１２と内壁部１４との間を間隔を保って連結し上積みすべき紙製箱の底面を支持する支持部１６と、外壁部１２と内壁部１４との間に形成され紙製箱の壁面に差し込まれる差込部２８とを備えている。支持部１６は相互に交差する方向に向けて配置された第１及び第２の支持部１６Ａ、１６Ｂから成り、第１及び第２の支持部１６Ａ、１６Ｂ間には開口が形成されている。【選択図】        図４
2011126574.tif 000002
【特許請求の範囲】
【請求項１】
紙製箱の角部に装着されて前記紙製箱の段重ねを補助する段重ね用クリップであって、前記段重ね用クリップは、紙製の展開片を折り曲げて成形され、横断面がＬ字状の外壁部と、前記外壁部の内側において前記外壁部より低位置に設けられた横断面がＬ字状の内壁部と、前記外壁部と内壁部との間を間隔を保って連結し上積みすべき前記紙製箱の底面を支持する支持部と、前記外壁部と内壁部との間に形成され前記紙製箱の壁面に差し込まれる差込部とを備え、前記支持部は相互に交差する方向に向けて配置された第１及び第２の支持部から成り、前記第１及び第２の支持部間には開口が形成されていることを特徴とする段重ね用クリップ。
【請求項２】
請求項１に記載された段重ね用クリップであって、前記内壁部は前記外壁部よりも下方にまで延びていることを特徴とする段重ね用クリップ。
【請求項３】
請求項１又は請求項２のいずれかに記載された段重ね用クリップであって、前記内壁部は、前記紙製箱の内壁面と同じ高さに形成されていることを特徴とする段重ね用クリップ。
【請求項４】
請求項１乃至請求項３のいずれかに記載された段重ね用クリップであって、少なくとも前記差込部を前記紙製箱の角部に装着した場合に外観上表れる面は、前記紙製箱と同じ外観に形成されていることを特徴とする段重ね用クリップ。
【請求項５】
請求項１乃至請求項４のいずれかに記載された段重ね用クリップであって、前記外壁部は、前記段重ね用クリップが装着された複数の前記紙製箱を段重ねした場合に他の上下の段重ね用クリップの外壁部と重畳しない高さに形成されていることを特徴とする段重ね用クリップ。
【請求項６】
請求項１乃至請求項５のいずれかに記載された段重ね用クリップであって、前記展開片の状態において前記外壁部となる部分のうち前記支持部と連続する内側面部分に折り目線に対応して切り込みが形成されていることを特徴とする段重ね用クリップ。
【請求項７】
請求項１乃至請求項６のいずれかに記載された段重ね用クリップであって、折り曲げによる成形時に連結すべき箇所に、差込片と、前記差込片が差し込まれる差込口が形成され、前記差込片を前記差込口に差し込むことにより組み付けられていることを特徴とする段重ね用クリップ。
【発明の詳細な説明】
【技術分野】
【０００１】
本発明は、例えば、お寿司等の食品を収納する紙製の重箱等の紙製箱を段重ねする際に使用する段重ね用クリップの改良に関するものである。
【背景技術】
【０００２】
従来、お寿司や弁当等は、一般的に、プラスチック製の桶や重箱等に収納されて、出前されることが一般的であったが、近年においては、空になった桶等を回収する手間と時間を回避するため、届け先で簡易に廃棄処分をすることができるように、紙製の重箱等の紙製箱に収納されて届けられることが多くなってきた。
【０００３】
この場合、例えば、お寿司を提供する寿司屋等においては、特に、繁忙期においては、注文に対し迅速に対応することができるように、予め、蓋をしていない状態の紙製箱にしゃり玉を用意した上で、これらの紙製箱を積み重ねておくことが行われる。
【０００４】
この段重ねの際に、積み重ねた紙製箱が崩れたりずれたりしないように、紙製箱等を上げ底して容体の底部に段差を設け、この段差を利用して上下の容体を嵌合するようにして段重ねすることが知られている（例えば、特許文献１、２等参照）。
【０００５】
しかし、プラスチック製の容器であればともかく、紙製の容器において上げ底とすると、荷重に対する底面の強度が低下し、収容物が多い場合には底面が撓む等安定性に欠けるおそれがある。また、上げ底とすると、その分、収容量が低下するとともに、見栄えも低下する問題が生ずる。
【０００６】
一方、上げ底ではなく、紙製箱の容体の内壁面に段差を設けて、上下の容体を積み重ねることも提案されている（例えば、特許文献３、４等参照）。しかし、同様に、収容量が低下するとともに、見栄えも低下する問題が生ずる。
【０００７】
更には、紙製箱の容体に突起等を形成する等して、紙製箱を積み重ねることも提案されているが（例えば、特許文献５乃至７等参照）、やはり見栄えが低下し、風情に欠けるとともに、紙製箱自体の製造に手間とコストを要する問題があった。従って、紙製箱自体は、外観や製造の手間やコストを考慮すると、できるだけ、フラットな底面や内壁上面を有するものとすることが望ましい。
【０００８】
このような容体の段重ねに使用することができるものとして、紙製箱とは別に形成され、容体の壁面に差し込むことができる部材も提案されている（例えば、特許文献８乃至１１等参照）。しかし、これらの部材は、段重ねした紙製箱の見栄えを低下させるのは勿論のこと、一定の固定的な形状を有するため、折り畳みすることができず、特に、不使用時において嵩張り、過大な収納スペースを要する問題がある。加えて、これらの部材は、プラスチックから形成されているため、製造に手間とコストを要すると共に、重量が嵩み、運搬等に支障を来すと共に、段の数が増加するに連れ（その結果、部材の個数が増加するに連れ）、紙製箱に潰れ等の変形を与えるおそれがあり、何より、例えば、一般的な桶等のように最上段以外は蓋をすることなく段重ねしたまま出前先に届けた場合、出前先で紙製箱と共に段重ね用の部材を焼却ゴミとして廃棄することができず、これらの部材を、届け時に、あるいは、後日、別途回収する手間と時間が必要となり、紙製箱を使用する利点が相殺される問題がある。
【先行技術文献】
【特許文献】
【０００９】
【特許文献１】特開２００４−１０１１７号公報
【特許文献２】実用新案登録第３１４３６１１号公報
【特許文献３】特開２０００−２３８７７９号
【特許文献４】実開平７−１１５１８号公報
【特許文献５】特開２００６−２２４９６７号公報
【特許文献６】実用新案登録第３０４９４７９号公報
【特許文献７】実用新案登録第３０６６２２０号公報
【特許文献８】特開２００６−３１５７２０号公報
【特許文献９】特開平９−１６５０４０号公報
【特許文献１０】実用新案登録第３１１２５８３号公報
【特許文献１１】実用新案登録第３０５８９８６号公報
【発明の概要】
【発明が解決しようとする課題】
【００１０】
本発明が解決しようとする課題は、上記の問題点に鑑み、紙製箱の外観に影響を与えることがないと共に、軽量で、簡易にかつ低コストで製造することができ、また、省スペースで保管することができる一方、廃棄処分にも適した段重ね用クリップを提供することにある。
【課題を解決するための手段】
【００１１】
本発明は、上記の課題を解決するための第１の手段として、紙製箱の角部に装着されて紙製箱の段重ねを補助する段重ね用クリップであって、この段重ね用クリップは、紙製の展開片を折り曲げて成形され、横断面がＬ字状の外壁部と、この外壁部の内側において外壁部より低位置に設けられた横断面がＬ字状の内壁部と、これらの外壁部と内壁部との間を間隔を保って連結し上積みすべき紙製箱の底面を支持する支持部と、外壁部と内壁部との間に形成され紙製箱の壁面に差し込まれる差込部とを備え、支持部は相互に交差する方向に向けて配置された第１及び第２の支持部から成り、第１及び第２の支持部間には開口が形成されていることを特徴とする段重ね用クリップを提供するものである。
【００１２】
本発明は、上記の課題を解決するための第２の手段として、上記第１の解決手段において、内壁部は外壁部よりも下方にまで延びていることを特徴とする段重ね用クリップを提供するものである。
【００１３】
本発明は、上記の課題を解決するための第３の手段として、上記第１又は第２のいずれかの解決手段において、内壁部は、紙製箱の内壁面と同じ高さに形成されていることを特徴とする段重ね用クリップを提供するものである。
【００１４】
本発明は、上記の課題を解決するための第４の手段として、上記第１乃至第３のいずれかの解決手段において、少なくとも差込部を紙製箱の角部に装着した場合に外観上表れる面は、紙製箱と同じ外観に形成されていることを特徴とする段重ね用クリップを提供するものである。
【００１５】
本発明は、上記の課題を解決するための第５の手段として、上記第１乃至第４のいずれかの解決手段において、外壁部は、段重ね用クリップが装着された複数の紙製箱を段重ねした場合に他の上下の段重ね用クリップの外壁部と重畳しない高さに形成されていることを特徴とする段重ね用クリップを提供するものである。
【００１６】
本発明は、上記の課題を解決するための第６の手段として、上記第１乃至第５のいずれかの解決手段において、展開片の状態において外壁部となる部分のうち支持部と連続する内側面部分に折り目線に対応して切り込みが形成されていることを特徴とする段重ね用クリップを提供するものである。
【００１７】
本発明は、上記の課題を解決するための第７の手段として、上記第１乃至第６のいずれかの解決手段において、折り曲げによる成形時に連結すべき箇所に、差込片と、この差込片が差し込まれる差込口が形成され、差込片を差込口に差し込むことにより組み付けられていることを特徴とする段重ね用クリップを提供するものである。
【発明の効果】
【００１８】
本発明によれば、上記のように、段重ね用クリップを、紙製の展開片を折り曲げて成形しているため、非常に軽量に形成することができ、段数が増加しても重量が嵩むことがなく、紙製箱を変形等させることがないと共に、運搬に支障を来すことがなく、軽量性という紙製箱の利点をそのまま生かすことができる上に、不使用時には折りたたんでおくことができると共に、平板状の展開片の状態で納品した上で使用現場で必要に応じて簡易に組み立てることもでき、不必要に過大な保管スペースを要しない実益がある。
【００１９】
また、本発明によれば、上記にように、段重ね用クリップを、紙製の展開片から成形しているため、紙片の裁断、打ち抜き等の簡易な工程で製造することができ、製造に手間を要しないとともに、プラスチック製材料等に比べて低廉な紙製材料を使用していることから、製造コストも低減することができる上に、最終的に焼却ゴミとして廃棄処分をすることもでき、環境に影響を与えることなく処理することもできる実益がある。
【００２０】
本発明によれば、上記のように、支持部は、相互に交差する方向に向けて形成された第１及第２の支持部から成り、これらの第１及び第２の支持部間には開口が形成されているため、この開口により紙製箱の角部に合わせて横断面略Ｌ字状に形成された外壁部や内壁部が直角状に交差した状態からその交差角度を変更させて円滑に変形するのを補助することができ、折り曲げによる成形を容易に行うことができると共に、紙製箱の角部に装着した場合に、必ずしも完全な直角に成形されているとは限らない紙製箱の角部に外壁部及び内壁部が追随して変形することを許容し、差込部を角部に確実に密着させて紙製箱を適切にかつ確実に段重ねすることができる実益がある。
【００２１】
本発明によれば、上記のように、紙製箱の内壁面に係合する内壁部は外壁部よりも下方にまで延びているため、紙製箱に深く差し込むことができ、紙製箱を安定的に段重ねすることができ、特に、内壁部を紙製箱の内壁面と同じ高さに形成すると、より一層安定感が高まり紙製箱を確実に積み重ねることができる実益がある。
【００２２】
本発明によれば、上記のように、少なくとも差込部を紙製箱の角部に装着した場合に外観上表れる面を、紙製箱と同じ外観に形成しているため、紙製箱の外観に影響を与えることがなく、紙製箱の意匠をそのまま生かして風情や見栄えを維持することができ、顧客の目に触れても違和感を与えることがない上に、紙製箱と同じ材料から形成することができるため、製造のために、別材料を用意したり、別工程を要せず、更には、特に、紙製箱の材料用の紙片の余剰部分を有効に利用して製造することもでき、製造の手間とコストを大幅に低減することができる実益がある。特に、最終的に紙製箱と共に廃棄されることもある段重ね用クリップにおいては、製造の手間とコストを低減することに非常に大きな意義があり、廃棄にも適したクリップとすることができる実益がある。
【００２３】
本発明によれば、上記のように、外壁部は、段重ね用クリップが装着された複数の紙製箱を段重ねした場合に他の上下の段重ね用クリップの外壁部と重畳しない高さに形成されているため、クリップ自体が段重ねの支障となることがないと共に、積み重ねた場合にも、見栄えを低下させることがない実益がある。
【００２４】
本発明によれば、上記のように、展開片の状態において外壁部となる部分のうち支持部と連続する内側面部分に折り目線に対応して切り込みが形成されているため、特に、外壁部を折り曲げて略Ｌ字状に成形する際に、不必要に重畳部分が生ずることがなく、円滑に折り曲げ加工をすることができる実益がある。
【００２５】
本発明によれば、上記のように、折り曲げによる成形時に連結すべき箇所に、差込片と、この差込片が差し込まれる差込口を形成しているため、例えば、糊等の連結のための手段を特に別途使用することなく、簡易に組み付けることができる実益がある。
【図面の簡単な説明】
【００２６】
【図１】本発明の段重ね用クリップを使用して段重ねされた紙製箱の斜視図である。
【図２】本発明の段重ね用クリップを紙製箱の角部に装着した状態の斜視図である。
【図３】本発明に用いられる展開片の平面図である。
【図４】本発明の段重ね用クリップの斜視図である。
【図５】本発明の段重ね用クリップの平面図である。
【図６】本発明の他の実施の形態に用いられる展開片の平面図である。
【図７】本発明の更に他の実施の形態に用いられる展開片の平面図である。
【発明を実施するための形態】
【００２７】
本発明の実施の形態を図面を参照しながら詳細に説明すると、図１及び図２は、紙製重箱等の紙製箱１に装着された本発明の段重ね用クリップ１０を示し、この段重ね用クリップ１０は、図１及び図２に示すように、紙製箱１の角部に装着されて紙製箱１の段重ねを補助するものである。この場合、この段重ね用クリップ１０は、少なくとも、四角形状の紙製箱の相対向する２つの以上の角部に装着することが、紙製箱１を安定的に積み重ねる上で好ましい。
【００２８】
（１．展開片）
この段重ね用クリップ１０は、図３に示すように、紙製の展開片１０Ａを折り曲げて成形される。具体的には、この展開片１０Ａは、図３に示すように、鉤状に折り曲げ加工される外壁部１２と、内壁部１４と、これらの外壁部１２と内壁部１４とを連結する支持部１６とを有する。
【００２９】
また、この展開片１０Ａは、図３に示すように、外壁部１２部分において、外壁部１２を鉤状に折り曲げるための第１折り目線１０ａと、外壁部１２を略Ｌ字状に折り曲げるための第２折り目線１０ｂを有する。また、この展開片１０Ａは、図３に示すように、外壁部１２と支持部１６との境界に支持部１６を外壁部１２に直交する方向に折り曲げるための第３折り目線１０ｃを、支持部１６と内壁部１４との境界に内壁部１４を支持部１６に直交する方向に折り曲げるための第４折り目線１０ｄを有する。
【００３０】
また、この展開片１０Ａは、図３に示すように、支持部１６から内壁部１４にかけての中央付近に、後に、後述する開口３０となるべき切り抜き部１８も有し、この切り抜き部に臨むように内壁部１４から延びるのりしろ部２０を有している。こののりしろ部２０と内壁部１４との境界には、内壁部１４を略Ｌ字状に折り曲げるための第５折り目線１０ｅが形成されている。
【００３１】
なお、図３に示すように、支持部１６は、この切り抜き部１８により、第１の支持部１６Ａと、第２の支持部１６Ｂとに２分割され、また、内壁部１４も、内壁部１４のうちの外壁部１２側と対向する側の縁から切り抜き部１８に向けて延びる切り込み１８Ａにより、同じく第１の内壁部１４Ａと、第２の内壁部１４Ｂとに２分割されている。また、のりしろ部２０の切り抜き部１８に臨む縁は、図３に示すように、組み付け時にのりしろ部２０を内壁部１４の裏面側に容易に挿入することができるように、テーパ状に形成されている。この場合、のりしろ部２０は、第１又は第２のいずれの内壁部１４Ａ、１４Ｂと連続させてもよく、図３における右側の第１の内壁部１４Ａから連続して延びるようにして形成された図示の実施の形態と異なり、図３における左側の第２の内壁部１４Ｂから連続して延びるように形成することもできる。この場合には、勿論、図示の実施の形態と異なり、第５折り目線１０ｅは、第２の内壁部１４Ｂとのりしろ部２０との境界に形成し、また、のりしろ部２０のテーパも、図３と異なり、右下がりのラインとすることができる。
【００３２】
また、この展開片１０Ａは、段重ね用クリップ１０を装着すべき紙製箱１と同じ紙材から形成することが望ましい。より具体的には、紙製箱１の製造用に加工された、装飾面に、例えば、黒金砂目等の模様が付された紙材を、この展開片１０Ａ用の紙材としても利用する。即ち、段重ね用クリップ１０のうち、後述する差込部２８を紙製箱１の角部に装着した場合に外観上表れる面を、紙製箱１と同じ外観に形成することができる。
【００３３】
これにより、段重ね用クリップ１０を装着しても、紙製箱１の外観に影響を与えることがなく、紙製箱１の意匠をそのまま生かして風情や見栄えを維持することができ、顧客の目に触れても違和感を与えることがない。また、段重ね用クリップ１０の製造のために、わざわざ紙製箱１とは別に材料を用意したり、更には、特に、紙製箱１の材料用の紙片の余剰部分を有効に利用して製造することもでき、製造コストを大幅に低減することができる。特に、最終的に紙製箱１と共に廃棄されることもある段重ね用クリップ１０においては、製造のコストを低減することには非常に大きな意義があり、紙製箱１と同じ紙材を使用することにより、廃棄にも適切に対応することができる。
【００３４】
また、展開片１０は、紙製箱１と同様、この紙材を裁断加工することにより成形することができる。このため、紙製箱１の製造とは、別の工作機械を用意することなく、成形することができ、場合によっては、紙製箱１の裁断工程に連続して成形することができ、別工程を要しない結果、製造のコストのみならず、手間も大幅に軽減することができる。とりわけ、紙製材料を使用しているため、紙片の裁断や打ち抜き等の簡易な工程で製造することができ、製造に手間を要しないとともに、プラスチック製材料等に比べて低廉な紙製材料を使用していることから、製造コストも低減することができる上に、最終的に焼却ゴミとして廃棄処分をすることもでき、環境に影響を与えることなく処理することもできる実益がある。なお、この展開片１０Ａの各隅部は、紙製箱１への装着の際に隅部が破損やめくれ、変形等するのを避けるため、図３に示すように、円弧状に縁取り加工をすることが好ましい。
【００３５】
段重ね用クリップ１０は、この展開片１０を、次の要領で折り曲げて成形することができる。即ち、まず、第１折り目線１０ａを山折りして、外壁部１２を鉤状に成形する。次いで、第３折り目線１０ｃを谷折りして、支持部１６を外壁部１２に直交する方向に折り曲げ、更に、第４折り目線１０ｄを山折りして、内壁部１４を支持部１６に直交する方向に折り曲げる。その上で、第１及び第２の支持部１６Ａ、１６Ｂや第１及び第２の内壁部１４Ａ、１４Ｂが相互に近接するように、外壁部１２の中央を通る第２折り目線１０ｂを山折りして（第２折り目線１０ｂのうち、第１折り目線１０ａにより支持部１６側へ折り返された外壁部１２部分に位置する折り目線については、谷折り）、段重ね用クリップ１０を横断面略Ｌ字状に成形する。
【００３６】
最後に、第５折り目線１０ｅを谷折りして、のりしろ部２０を第２の内壁部１４Ｂの裏面側に配置し、その状態でのりしろ部２０と第２の内壁部１４Ｂとを、糊、接着剤、テープ等の適宜の手段により接合することにより、図４及び図５に示す段重ね用クリップ１０として成形することができる。
【００３７】
但し、第１乃至第５の折り目線１０ａ乃至１０ｅの折り曲げの順序には、特に限定はなく、上記と異なり、任意の折目線１０ａ乃至１０ｅから折り曲げることもできる。いずれにしろ、段重ね用クリップ１０を、このように、紙製の展開片１０Ａを折り曲げて成形しているため、非常に軽量に形成することができ、段数が増加しても重量が嵩むことがなく、紙製箱１を変形等させることがないと共に、運搬に支障を来すことがなく、軽量性という紙製箱１の利点をそのまま生かすことができる上に、不使用時には折りたたんでおくことができると共に、上述したように、折り曲げという簡易な作業で組み立てることができるため、平板状の展開片１０Ａの状態で納品した上で使用現場で必要に応じて簡易に組み立てることもでき、不必要に過大な保管スペースを要しない。
【００３８】
なお、この場合、図３に示す実施の形態と異なり、図６に示すように、展開片１０Ａの状態において外壁部１２となる部分のうち支持部１６と連続する内側面部分に、第２折り目線１０ｂに対応して、切り込み２２を形成することもできる。これにより、特に、外壁部１２を折り曲げて略Ｌ字状に成形する際に、不必要に重畳部分が生ずることがなく、円滑に折り曲げ加工をすることができる。
【００３９】
また、第１及び第２の内壁部１４の連結は、上述したのりしろ部２０を介しての接着に限定されるものではなく、他に、例えば、図７に示すように、段重ね用クリップ１０となる展開片１０Ａにおいて、折り曲げによる成形時に連結すべき箇所に、差込片２４と、この差込片２４が差し込まれる差込口２６を形成することにより対応することができる。具体的には、図７に示すように、第１の内壁部１４Ａ側に差込片２４を形成し、他方の第２の内壁部１４Ｂ側に差込口２６を形成し、この差込片２４を差込口２６に差し込むことにより、第１の内壁部１４Ａと第２の内壁部１４Ｂとを連結して、段重ね用クリップ１０を組み付ることもできる。これにより、例えば、糊等の連結のための手段を特に別途使用することなく、簡易に組み付けることができる。なお、この差込片２４及び差込口２６は、上述したのりしろ部２０と同様、第１又は第２の内壁部１４Ａ、１４Ｂのどちらに形成しても良い。
【００４０】
（２．段重ね用クリップ）
以上のようにして、成形された段重ね用クリップ１０は、図４及び図５に示すように、横断面がＬ字状の外壁部１２と、この外壁部１２の内側において設けられた横断面がＬ字状の内壁部１４と、これらの外壁部１２と内壁部１４にわたって位置する支持部１６と、外壁部１２と内壁部１４との間に形成された差込部２８とを備えることになる。
【００４１】
支持部１６は、図４及び図５に示すように、外壁部１２と内壁部１４との間の間隔を保つようにして配置され、これらの外壁部１２と内壁部１４と交差する方向に向けて配置される。このため、図１及び図２に示すように段重ね用クリップ１０を紙製箱１に装着した場合に、その支持面が上方に向き、上積みすべき紙製箱１の底面を支持することができる。
【００４２】
一方、この支持部１６の下方側には、図４に示すように、外壁部１２と内壁部１４との間に空間が形成され、この空間が差込部２８となる。この差込部２８は、図１及び図２に示すように、紙製箱１の壁面に上方から差し込まれ、これにより、段重ね用クリップ１０は、紙製箱１の壁面を外壁部１２と内壁部１４とにより挟み込むようにして、紙製箱１の角部に装着される。この場合、支持部１６は、下側の紙製箱１の壁面に支持されるため、上側の紙製箱１の荷重を確実に受け止めることができる。なお、この場合、支持部１６の幅（差込部２８の間隔）は、紙製箱１の壁面の厚みに応じて設定することができる。
【００４３】
また、内壁部１４は、図４に示すように、外壁部１２の内側において外壁部１２より低位置に設けられている。この場合、外壁部１２を、上述したように、内側に折り曲げて鉤状に形成することにより、外壁部１２との間に段差をつけることができる。この外壁部１２と内壁部１４との間の段差、即ち、外壁部１２のうち、内壁部１４よりも上方へ突出する部分（下側の紙製箱１の壁面よりも上方へ突出する部分）により、支持部１６上に載置された上側の紙製箱１を、下側の紙製箱１上からずれる等して落下しないように位置決めして、確実に段重ねすることができる。一方、外壁部１２のうち、下側の紙製箱１の壁面に対応する部分は、内壁部１４と共に段重ね用クリップ１０を下側の紙製箱１の壁面に固定する役割を有する。
【００４４】
この外壁部１２は、特に、図１に示すように、段重ね用クリップ１０が装着された複数の紙製箱１を段重ねした場合に、他の上下の段重ね用クリップ１０の外壁部１２と重畳しない高さに形成されている。このため、段重ね用クリップ１０自体が段重ねの支障となることがないと共に、紙製箱１を積み重ねた場合にも、見栄えを低下させることがない。
【００４５】
一方、内壁部１４は、図４に示すように、この外壁部１２よりも下方にまで延びている。このため、段重ね用クリップ１０の差込部２８を紙製箱１に深く差し込むことができ、紙製箱１を安定的に段重ねすることができる。この場合、より具体的には、特に図２に示すように、内壁部１４を紙製箱１の内壁面と同じ高さに形成することが望ましい。これにより、より一層安定感が高まり紙製箱１を確実に積み重ねることができる。
【００４６】
（３．開口）
更に、本発明においては、図４及び図５に示すように、相互に交差する方向に向けて配置された第１及び第２の支持部１６Ａ、１６Ｂ間には、開口３０が形成されている。この開口３０は、上述した切り抜き部１８を有する展開片１０Ａを組み立てることにより形成される。
【００４７】
このように、開口３０を設けると、第１及び第２の支持部１６Ａ、１６Ｂを相互に交差する方向を向くように折り曲げる際に、紙製箱１の角部に合わせて横断面略Ｌ字状に形成された外壁部１２や内壁部１４が直角状に交差した状態からその交差角度を変更させて円滑に変形するのを補助することができ、折り曲げによる成形を容易に行うことができる。また、組み立て後に紙製箱１の角部に装着した場合においても、この開口３０は、必ずしも完全な直角に成形されているとは限らない紙製箱１の角部に外壁部１２及び内壁部１４が追随して変形することを許容し、差込部２８を角部に確実に密着させて紙製箱１を適切にかつ確実に段重ねすることができる。
【産業上の利用可能性】
【００４８】
本発明は、例えば、紙製重箱や紙製弁当箱等の食品用の紙製箱に使用することができるほか、特に、紙製の容体であれば、その用途を問わず、広く適用することができる。
【符号の説明】
【００４９】
１  紙製箱
１０  段重ね用クリップ
１０Ａ  展開片
１０ａ  第１折り目線
１０ｂ  第２折り目線
１０ｃ  第３折り目線
１０ｄ  第４折り目線
１０ｅ  第５折り目線
１２  外壁部
１４  内壁部
１４Ａ  第１の内壁部
１４Ｂ  第２の内壁部
１６  支持部
１６Ａ  第１の支持部
１６Ｂ  第２の支持部
１８  切り抜き部
１８Ａ  切り込み
２０  のりしろ部
２２  切り込み
２４  差込片
２６  差込口
２８  差込部
３０  開口
【図１】
2011126574.tif 000003
【図２】
2011126574.tif 000004
【図３】
2011126574.tif 000005
【図４】
2011126574.tif 000006
【図５】
2011126574.tif 000007
【図６】
2011126574.tif 000008
【図７】
2011126574.tif 000009